(57)【特許請求の範囲】
【請求項１】
前面が開口され内部に光源が収納されるボディ、および光源から放射された光を前方に出射させる窓孔を有し当該ボディの前面側に取り付けられたカバーにより構成された器具本体と、カバーの窓孔を閉塞する形で器具本体に収納された透光パネルと、弾性体により窓孔を囲う形に形成され透光パネルの前面における縁部の全周と当接する部位を有したパッキン部と、パッキン部および透光パネルをカバーに固定する固定具とを備え、
カバーは、透光パネル側とは反対側において上記パッキン部の上記部位の全周と当接するパッキン当接部を有し、
固定具は、カバーのパッキン当接部との間でパッキン部および透光パネルを狭持する狭持部と、器具本体に保持された保持部とを一体に備え、
器具本体は、固定具を保持する固定具保持手段を備え、
固定具保持手段は、固定具の保持部の前面に当接する形にカバーに形成された前側当接部と、固定具の保持部の後面に当接する形でボディに形成され前側当接部との間で保持部を狭持する後側当接部とで構成され、
上記パッキン部を上記カバーに仮固定する仮固定手段を備え、
仮固定手段は、上記パッキン部の外側面と上記カバーにおける上記パッキン部の外側面との対向面とのいずれか一方に突設された嵌合突部と、上記パッキン部の上記外側面と上記カバーの上記対向面とのいずれか他方に凹設され嵌合突部と凹凸嵌合する嵌合凹部とで構成されていることを特徴とする照明器具。
【請求項２】
上記パッキン部の内側面には、上記透光パネルの縁部が全周に亘って嵌め込まれた保持溝が形成され、
上記パッキン部の外側面には、上記固定具の狭持部と凹凸嵌合する固定具取付用の取付凹部が形成され、
取付凹部は、保持溝より後方に位置していることを特徴とする請求項１記載の照明器具。
【請求項３】
上記パッキン当接部には、上記パッキン部の内側に入り込む形で上記窓孔を囲うはみ出し防止部が突設されていることを特徴とする請求項１または２記載の照明器具。
【発明の詳細な説明】
【技術分野】
【０００１】
本発明は、照明器具、特に防水型の照明器具に関するものである。
【背景技術】
【０００２】
従来から、被水環境下においても使用可能な防水型の照明器具が種々提案されている（例えば、特許文献１参照）。この種の防水型の照明器具としては、例えば、図６〜図８に示すものが挙げられる。
【０００３】
図６（ａ），（ｂ）に示す構成の照明器具は、前面（図６（ａ）における左面）が開口され内部に光源Ｌが収納されるボディ１１０、および光源Ｌから放射された光を前方に出射させる窓孔１２１を有し当該ボディ１１０の前面側に取り付けられたカバー１２０により構成された器具本体１００と、カバー１２０の窓孔１２１を閉塞する形で器具本体１００に収納された透光パネル２００とを備える。
【０００４】
このものでは、透光パネル２００が、筒状（円筒状）のパッキン部３００の内側に嵌め込まれており、透光パネル２００が嵌め込まれたパッキン部３００を、カバー１２０と環状（円環状）の固定具４００との間で狭持し、これによって、カバー１２０と透光パネル２００との隙間から水などの流体が器具本体１００内に浸入することを防止している。図６に示す照明器具においては、固定具４００は、ネジ止めによりカバー１２０に固定される。そのため、カバー１２０の後面側における窓孔１２１の周縁部には、固定具４００をカバー１２０に固定するための固定ネジ５００を螺入するネジ孔１２２が複数設けられる。
【０００５】
図７（ａ），（ｂ）に示す構成の照明器具は、器具本体１００と、透光パネル２００と、パッキン部３００と、固定具４００とを備える点は図６に示すものと同様であるが、固定具４００をカバー１２０に取り付ける構造が図６に示すものと異なっている。すなわち、図７に示す構成の照明器具では、固定具４００をネジ止めでカバー１２０に固定せずに、固定具４００をカバー１２０の後方よりカバー１２０内に圧入することにより、固定具４００をカバー１２０に固定している。なお、図７に示す構成の照明器具におけるその他の構成は図６に示す照明器具と同様であるから、同様の構成については同一の符合を付して説明を省略する。
【０００６】
一方、図８（ａ），（ｂ）に示す構成の照明器具は、固定具４００を用いる代わりに、ボディ１１０を用いて、パッキン部３００および透光パネル２００をカバー１２０に固定している点で図６，７それぞれに示すものと異なっている。すなわち、図８に示す構成の照明器具では、ボディ１１０で、透光パネル２００およびパッキン部３００をカバー１２０との間で狭持する固定具を兼用している。図８に示す照明器具では、カバー１２０とボディ１１０とは、取付ネジ６００を、カバー１２０に形成したネジ挿通孔１２３を通して、ボディ１１０の開口（前面開口）の縁部に形成したネジ孔１１１に螺入することで、結合されている。なお、図８に示す構成の照明器具におけるその他の構成は図６に示すものと同様であるから、同様の構成については同一の符号を付して説明を省略する。
【特許文献１】特開２００７−１８７８４号公報
【発明の開示】
【発明が解決しようとする課題】
【０００７】
ところで、上述したような照明器具では、光の利用効率の向上が望まれている。しなしながら、図６に示す構成の照明器具では、固定具４００をネジ止めによりカバー１２０に固定しているので、カバー１２０の後面側における窓孔１２１の周縁部にネジ孔１２２を複数形成する必要があるから、窓孔１２１の周縁部に、ネジ孔１２２を形成するための部位を確保しなければならない。そのため、図６に示す照明器具では、カバー１２０の外形サイズに比べて、窓孔１２１の開口サイズが小さくなってしまう。
【０００８】
これに対して図７に示す構成の照明器具では、固定具４００をネジ止めせずに、カバー１２０に圧入するものであるので、上記のネジ孔１２２（図６（ａ）参照）をカバー１２０に形成する必要がないから、カバー１２０の外形サイズが同じであれば、図６に示すものよりも、窓孔１２１の開口サイズを大きくすることができる（図６（ｂ），図７（ｂ）参照）。ところが、固定具４００をカバー１２０に圧入する作業は、ネジ止めする作業に比べて作業性が悪いから、組立性が悪いという別の問題が生じていた。また、圧入により固定具４００をカバー１２０に固定する場合には、ネジ止めにより固定する場合に比べれば、固定具４００とカバー１２０それぞれの成形誤差などの影響を受け易く、製品毎に性能がばらつき易いという問題も生じるおそれがある。これらの点は、固定具４００を接着剤などでカバー１２０に固定する場合においても同様である。
【０００９】
一方、図８に示す構成の照明器具は、固定具４００を用いる必要がないから、部品点数が少なく、また、カバー１２０とボディ１１０とを結合することによって、パッキン部３００および透光パネル２００をカバー１２０に固定することができるから、組立作業が比較的容易に行える。しかしながら、カバー１２０にネジ止めのためのネジ挿通孔１２３を形成する必要があるから、図６に示すものと同様に、カバー１２０の外形サイズに比べて、窓孔１２１の開口サイズが小さくならざるを得ず、窓孔１２１の開口サイズを図７に示すものと同様の大きさにするためには、カバー１２０にネジ挿通孔１２３を形成するための突出部１２４を形成するとともに、ボディ１１０にネジ孔１１１を形成するための突出部１１２を形成しなくてはならない。
【００１０】
そのため、図８に示す構成の照明器具では、図７に示すものに比べれば、組立性を向上することが可能であるが、器具本体１００の外面に取付ネジ６００が露出し、また、器具本体１００に不自然に突出した部位（図８における突出部１１２，１２４）が存在するために、美観が悪いという別の問題が生じていた。
【００１１】
本発明は上述の点に鑑みて為されたもので、その目的は、光の利用効率を向上できるとともに美観を向上できる上に、組立性を向上できる照明器具を提供することにある。
【課題を解決するための手段】
【００１２】
上述の課題を解決するために、請求項１の発明では、前面が開口され内部に光源が収納されるボディ、および光源から放射された光を前方に出射させる窓孔を有し当該ボディの前面側に取り付けられたカバーにより構成された器具本体と、カバーの窓孔を閉塞する形で器具本体に収納された透光パネルと、弾性体により窓孔を囲う形に形成され透光パネルの前面における縁部の全周と当接する部位を有したパッキン部と、パッキン部および透光パネルをカバーに固定する固定具とを備え、カバーは、透光パネル側とは反対側において上記パッキン部の上記部位の全周と当接するパッキン当接部を有し、固定具は、カバーのパッキン当接部との間でパッキン部および透光パネルを狭持する狭持部と、器具本体に保持された保持部とを一体に備え、器具本体は、固定具を保持する固定具保持手段を備え、固定具保持手段は、固定具の保持部の前面に当接する形にカバーに形成された前側当接部と、固定具の保持部の後面に当接する形でボディに形成され前側当接部との間で保持部を狭持する後側当接部とで構成され、上記パッキン部を上記カバーに仮固定する仮固定手段を備え、仮固定手段は、上記パッキン部の外側面と上記カバーにおける上記パッキン部の外側面との対向面とのいずれか一方に突設された嵌合突部と、上記パッキン部の上記外側面と上記カバーの上記対向面とのいずれか他方に凹設され嵌合突部と凹凸嵌合する嵌合凹部とで構成されていることを特徴とする。
【００１３】
請求項１の発明によれば、カバーをボディに取り付けて、固定具の保持部をカバーに形成した前側当接部とボディに形成した後側当接部との間で狭持することによって、固定具を器具本体に取り付けることができるので、固定具を器具本体にネジ止めする必要がなくなるから、例えば、従来例のように固定具をカバーに固定するためにカバーの窓孔の周縁部にネジ孔を形成しなくて済むから、カバーの外形サイズに対する窓孔の開口サイズの比率を大きくすることができて、カバーの外形サイズが同じであれば、光の利用効率を向上できる。また、固定具を用いずにボディでパッキン部を固定するものとは異なり、カバーをボディにネジ止めする必要がないので、ネジが器具本体の外面に露出することがなく、ネジ止めのための部位を器具本体の側面に突設する必要もないから、美観（意匠性）を向上できる。その上、カバーをボディに取り付けることによって、固定具を器具本体に取り付けることができるので、固定具のねじ止めや、圧入、接着などを別途行う必要がなくなって、組立作業が容易に行えるようになるから、組立性を向上できる。さらに、固定具の取り付け前においてもパッキン部をカバーに固定することができるから、カバーをボディに取り付ける際にパッキン部がカバーから脱落してしまうことなどを防止することができ、組立作業が容易に行えるようになる。
【００１６】
請求項２の発明では、請求項１の発明において、上記パッキン部の内側面には、上記透光パネルの縁部が全周に亘って嵌め込まれた保持溝が形成され、上記パッキン部の外側面には、上記固定具の狭持部と凹凸嵌合する固定具取付用の取付凹部が形成され、取付凹部は、保持溝より後方に位置していることを特徴とする。
【００１７】
請求項２の発明によれば、固定具の狭持部とパッキン部の取付凹部とを凹凸嵌合させることで、カバーをボディに取り付ける前でも、固定具をパッキン部に取り付けることができるから、カバーをボディに取り付ける際に固定具がパッキンやカバーから脱落してしまうことを防止することができ、組立作業が容易に行えるようになる。
【００１８】
請求項３の発明では、請求項１または２の発明において、上記パッキン当接部には、上記パッキン部の内側に入り込む形で上記窓孔を囲うはみ出し防止部が突設されていることを特徴とする。
【００１９】
請求項３の発明によれば、パッキン部がパッキン当接部と固定具とによって前後方向に圧縮されて、前後方向に交差する方向に膨出するように変形した場合でも、はみ出し防止部によってパッキン部が窓孔内にはみ出すことが防止されるので、光源から放射された光がパッキン部によって遮られてしまうことを防止することができ、しかも、パッキン部が窓孔に臨むことによる美観の悪化を防止することができる。
【発明の効果】
【００２０】
本発明は、光の利用効率を向上できるとともに、組立作業性を向上でき、その上、美観を向上できるという効果を奏する。
【発明を実施するための最良の形態】
【００２１】
本発明の一実施形態の照明器具は、たとえば、舞台やスタジオなどで利用されるスポットライトとして用いられるものであり、図１（ａ）に示すように、前面（図１（ａ）における左面）が開口され内部に光源Ｌが収納されるボディ２と、光源Ｌから放射された光を前方に出射させる窓孔３ａを有し当該ボディ２の前面側に取り付けられたカバー３とで構成された器具本体１と、カバー３の窓孔３ａを閉塞する形で器具本体１に収納された透光パネル４と、カバー３と透光パネル４との隙間から水などの流体が器具本体１内に浸入することを防止するパッキン部５と、透光パネル４およびパッキン部５をカバー３に固定する固定具６とが収納される。
【００２２】
ボディ２は、前後方向を長径方向とする中空の楕円体を長径方向に直交する面で切断した形の半楕円体形（半卵形）に形成され、断面側が前面側として用いられる本体部２０を備える。本体部２０の外側面の中腹部には、器具本体１を所定箇所に取り付けるために使用される取付部２０ａが一体に突設される。本体部２０の開口（前面開口）の周縁部には、当該開口を囲う円筒状の突出部２１が一体に突設される。突出部２１の外周形状は、本体部２０の前面の外周形状より小さくしてあり、これによって、本体部２０の外側面と突出部２１の外側面との間には段差が形成される。この突出部２１の外側面には、図３（ａ）に示すように、雄ネジ部２１ａが周設される。雄ネジ部２１ａは、カバー３をボディ２に結合するために使用される。
【００２３】
ところで、突出部２１の先端面（前端面）からは、固定具６を器具本体１に固定するための後側当接部２２が一体に延出される。後側当接部２２は、内側が突出部２１の内側と連通する形の円筒状に形成される。これら本体部２０、突出部２１、および後側当接部２２それぞれは中心軸が互いに一致している。
【００２４】
カバー３は、図４に示すように、円筒状に形成された筒状部３０を有する。筒状部３０の外径は、ボディ２の本体部２０の前面の外径と略等しい大きさに設定される。一方、筒状部３０は、前端側の内径が後端側より小さくなっており（内側面に段差が形成されており）、これによって、筒状部３０の内部空間において内径が小さい空間部が、パッキン部５が挿入される第１の空間部３０ａとして用いられ、内径が大きい空間部がボディ２の前端部が挿入される第２の空間部３０ｂとして用いられる（図１（ａ）参照）。この筒状部３０では、第２の空間部３０ｂの底面部となる部分（換言すれば筒状部３０の後端側における第１の空間部３０ａの開口縁部）が、後側当接部２２とともに固定具６を器具本体１に固定する固定具保持手段を構成する前側当接部３０ｃとなる。
【００２５】
筒状部３０における第１の空間部３０ａの内側面（すなわち、カバー３におけるパッキン部５の外側面との対向面）には、パッキン部５をカバー３に仮固定するための嵌合凹部３０ｄが凹設される。嵌合凹部３０ｄは、第１の空間部３０ａの内側面を周方向に一周する形の溝状に形成される。さらに、第２の空間部３０ｂの内側面には、ボディ２の突出部２１に形成した雄ネジ部２１ａに対応する雌ネジ部３０ｅが周設される。したがって、カバー３をボディ２に結合する際には、ボディ２の後側当接部２２および突出部２１をカバー３の後方より第２の空間部３０ｂ内に挿入し、カバー３をその中心軸の回りに回転させて、ボディ２の雄ネジ部２１ａと、カバー３の雌ネジ部３０ｅとを螺合させればよい。
【００２６】
ところで、筒状部３０の内側面における前端部には、第１の空間部３０ａに挿入されたパッキン部５の前面と当接するパッキン当接部３１が、筒状部３０の内側に突出する形に形成される。パッキン当接部３１は、筒状部３０の内側面をその周方向に一周する形に形成されており、パッキン当接部３１で囲まれた空間部が、上述の窓孔３ａになる。ここで、パッキン当接部３１は、窓孔３ａが真円形状（正円形状）となり、かつその中心軸が筒状部３０の中心軸と一致するように形成される。また、パッキン当接部３１の前面は、筒状部３０の前面と同一平面上に位置している。さらに、パッキン当接部３１には、パッキン部５の内側に入り込む形で窓孔３ａを囲うはみ出し防止部３２が一体に突設される。はみ出し防止部３２は中心軸が窓孔３ａの中心軸と一致する形に形成された円筒状のものである。
【００２７】
上述したボディ２およびカバー３により器具本体１は構成される。なお、ボディ２およびカバー３は、例えば、アルミダイカストなどにより形成される。
【００２８】
そして、器具本体１には、上述した光源Ｌ、透光パネル４、パッキン部５、および固定具６の他に、光源Ｌが装着されるソケットなどの光源保持具７や、光源Ｌから放射された光を前方に反射する反射板８、光源Ｌを点灯させる点灯装置（図示せず）などが収納される。なお、光源Ｌとしては、上記の例の他に、発光ダイオード（ＬＥＤ）や、有機ＥＬ素子などでも利用することができる。
【００２９】
透光パネル４は、図３（ｂ）に示すように、ガラスなどの透光性（少なくとも光源Ｌから放射された光に対して透光性）を有する材料により厚みが一様な円盤状に形成される。また、透光パネル４の外径は、窓孔３ａの内径より大きく、これによって透光パネル４でカバー３の窓孔３ａを閉塞することが可能になっている。
【００３０】
パッキン部５は、図３（ｂ）および図５に示すように、弾性体（例えば、ゴムなどのエラストマ）により円筒状に形成される。パッキン部５は前端側の外径が後端側の外径より大きくなっている。また、パッキン部５の内側面の前端部には、内側面を周方向に一周する形の溝よりなり、透光パネル４の縁部が全周に亘って嵌め込まれる保持溝５ａが形成される。この保持溝５ａにより透光パネル４は、図１（ａ）に示すように、パッキン部５の内側に嵌め込まれる。透光パネル４をパッキン部５の内側に嵌め込んだ状態では、パッキン部５における保持溝５ａより前側の部位が、透光パネル４の前面における縁部の全周と当接する前側パッキン部５０となり、パッキン部５における保持溝５ａより後側の部位が、透光パネル４の後面における縁部の全周と当接する後側パッキン部５１となる。
【００３１】
また、パッキン部５の外側面の前端側には、カバー３に形成された嵌合凹部３０ｄと凹凸嵌合する嵌合突部５ｂが一体に突設される。嵌合突部５ｂは、パッキン部５の外側面を周方向に一周する形に形成される。また、嵌合突部５ｂは、嵌合凹部３０ｄ内に嵌め込み易いように、前側を斜辺とする断面直角三角形状に形成される。ここで、嵌合突部５ｂと保持溝５ａとは、パッキン部５の径方向で重なる位置に形成されている。また、パッキン部５の後側パッキン部５１の外側面には、当該外側面を周方向に一周する形の溝状の取付凹部５ｃが形成される。したがって、取付凹部５ｃは保持溝５ａより後方に位置する。
【００３２】
このような取付凹部５ｃは、固定具６をパッキン部５に取り付けるために使用される。ここで、取付凹部５ｃの前側の内側面とパッキン部５の前面との距離は、パッキン当接部３１と前側当接部３０ｃとの距離より遠くなるように形成される。すなわち、パッキン部５をカバー３の第１の空間部３０ａ内に挿入して、パッキン部５の前端面をパッキン当接部３１の後面に当接させ、かつパッキン部５に何ら負荷をかけていない状態においては、取付凹部５ｃによりパッキン部５に取り付けた固定具６が、前側当接部３０ｃに接触しないようにしている。
【００３３】
固定具６は、図３（ｂ）に示すように、金属材料により環状（円環状）に形成された押さえ金具である。固定具６は、図１（ｂ）に示すように、内縁側の部位からなり、カバー３のパッキン当接部３１との間でパッキン部５および透光パネル４を狭持する狭持部６ａと、外縁側の部位からなり、器具本体１に保持される保持部６ｂとを一体に備える。この固定具６の内径は後側パッキン部５１の内径より大きく透光パネル４の外径より小さい。また、固定具６の外径は、カバー３の第２の空間部３０ｂの内径より小さい。固定具６は、図１（ｂ）に示すように、狭持部６ａがパッキン部５の取付凹部５ｃに全周に亘って嵌め込まれることでパッキン部５に取り付けられる。そして、固定具６の狭持部６ａは、パッキン当接部３１との間で、パッキン部５および透光パネル４を狭持する。一方、固定具６の保持部６ｂは、前面に前側当接部３１ｃの後面が当接され、後面に後側当接部２２の前面が当接されることで、当接部３１ｃ，２２間で狭持され、これによって、固定具６は器具本体１に固定される。
【００３４】
次に、本実施形態の照明器具の組立方法について説明する。まず、ボディ２に、光源保持具７、反射板８、点灯装置（図示せず）などを収納する。このようにボディ２に光源保持具７などを収納した後には、光源Ｌをボディ２に収納した光源保持具７に装着する。なお、光源Ｌを光源保持具７に装着するタイミングは、ボディ２に光源保持具７を収納した後、カバー３をボディ２に取り付ける前であればいつでもよい。
【００３５】
一方、カバー３には、透光パネル４、パッキン部５、および固定具６を収納する。ここで、カバー３に、透光パネル４、パッキン部５、固定具６を収納するにあたっては、予めパッキン部５に透光パネル４および固定具６を取り付けておく。すなわち、透光パネル４および固定具６を取り付けたパッキン部５を、カバー３の後方より第１の空間部３０ａに挿入する。このとき、パッキン部５の前面（前側パッキン部５０の前面）がパッキン当接部３１の後面に当接し、かつパッキン部５の嵌合突部５ｂとカバー３の嵌合凹部３０ｄとが凹凸嵌合するまで、パッキン部５を第１の空間部３０ａ内に押し込む。
【００３６】
これによって、パッキン当接部３１は、透光パネル４側とは反対側においてパッキン部５（前側パッキン部５０）の全周と当接する。さらに、パッキン部５がカバー３に仮固定されるとともに、透光パネル４および固定具６がパッキン部５を介してカバー３に仮固定される。そのため、カバー３から、パッキン部５や、透光パネル４、固定具６が脱落することが防止される。なお、カバー３に透光パネル４などの所定の部品を収納する作業は、ボディ２に光源保持具７などの所定の部品を収納する作業と並行あるいは前後して行えばよい。
【００３７】
上記のようにボディ２およびカバー３それぞれに所定の部品を収納した後には、ボディ２の前端部（後側当接部２２および突出部２１）をカバー３の後方より第２の空間部３０ｂ内に挿入し、カバー３（あるいはボディ２）をその中心軸の回りに回転させて、ボディ２の雄ネジ部２１ａと、カバー３の雌ネジ部３０ｅとを螺合させ、ボディ２とカバー３とを結合する。
【００３８】
このとき、固定具６は、後側当接部２２により押圧されて、前側当接部３０ｃに当接する位置まで前進させられ、これによって、固定具６は前側当接部３０と後側当接部２２との間で狭持される（つまり器具本体１に固定される）。また、上述したように固定具６が前進させられることにより、パッキン部５が固定具６の狭持部６ａ（取付凹部５ｃ内に挿入されている部分）により前側に押圧される。そのため、パッキン部５は、前後方向に圧縮された状態で、パッキン当接部３１と固定具６（固定具６の狭持部６ａ）との間に保持される。これによって、パッキン部５の前側パッキン部５０は、パッキン当接部３１および透光パネル４それぞれに所定の接圧で接触して、カバー３と透光パネル４との隙間が閉塞され、カバー３の窓孔３ａから水などが入り込むことが防止される。一方、後側パッキン部５１は、透光パネル４の後面に所定の接圧で接触するから、さらなる防水性の向上が図れる。また、パッキン部５がパッキン当接部３１と固定具６との間で狭持されることによって前後方向に圧縮された際には、パッキン部５は、前後方向に交差する方向に膨出するように変形するが、パッキン部５の内側面にはみ出し防止部３２が当接することによって、パッキン部５が窓孔３ａ内にはみ出すことが防止される。また、上述したようにしてボディ２とカバー３とを結合する際には、ボディ２の突出部２１に弾性体により環状に形成されたパッキン９を被嵌しておく。ボディ２とカバー３とを結合した際には、パッキン９は、図１（ａ）に示すように、ボディ２の本体部２０の前面とカバー３の筒状部３０の後面との間で狭持されて、パッキン９がボディ２およびカバー３それぞれに密着するから、器具本体１の防水性がさらに向上する。
【００３９】
以上により図１，２に示す照明器具が完成する。そして、この照明器具は、前面が開口され内部に光源Ｌが収納されるボディ２、および光源Ｌから放射された光を前方に出射させる窓孔３ａを有し当該ボディ２の前面側に取り付けられたカバー３により構成された器具本体１と、カバー３の窓孔３ａを閉塞する形で器具本体１に収納された透光パネル４と、弾性体により窓孔３ａを囲う形に形成され透光パネル４の前面における縁部の全周と当接する部位（前側パッキン部５０）を有したパッキン部５と、パッキン部５および透光パネル４をカバー３に固定する固定具６とを備え、カバー３は、透光パネル４側とは反対側においてパッキン部５の前側パッキン部５０の全周と当接するパッキン当接部３１を有し、固定具６は、カバー３のパッキン当接部３１との間でパッキン部５および透光パネル４を狭持する狭持部６ａと、器具本体１に保持される保持部６ｂとを一体に備え、器具本体１は、固定具６を保持する固定具保持手段を備え、固定具保持手段は、固定具６の保持部６ｂの前面に当接する形にカバー３に形成された前側当接部３０ｃと、固定具６の保持部６ｂの後面に当接する形でボディ２に形成され前側当接部３０ｃとの間で保持部６ｂを狭持する後側当接部２２とで構成される。
【００４０】
そのため、本実施形態の照明器具によれば、カバー３をボディ２に取り付けて、固定具６の保持部６ｂを、カバー３に形成した前側当接部３０ｃとボディ２に形成した後側当接部２２との間で狭持することによって、固定具６を器具本体１に取り付けることができるので、固定具６を器具本体１にネジ止めする必要がなくなるから、例えば、図６に示す従来例のように固定具４００をカバー１２０に固定するためにカバー１２０の窓孔１２１の周縁部にネジ孔１２２を形成しなくて済むから、カバー３の外形サイズに対する窓孔３ａの開口サイズの比率を大きくすることができて、カバー３の外形サイズが同じであれば、光の利用効率を向上できる。
【００４１】
また、カバー３をボディ２にネジ止めする必要がないので、図８に示す従来例のように固定具を用いずにボディ１１０でパッキン部３００を固定するものとは異なり、ネジ（取付ネジ６００、図８（ａ），（ｂ）参照）が器具本体１１０の外面に露出することがなく、ネジ止めのための部位（突出部１１２，１２４、図８（ａ）参照）を器具本体１１０の側面に突設する必要もないからいから、美観（意匠性）を向上できる。
【００４２】
その上、カバー３をボディ２に取り付けることによって、固定具６を器具本体１に取り付けることができるので、固定具のねじ止め（図６，図８参照）や、圧入（図７参照）、接着などを別途行う必要がなくなり、組立作業が容易に行えるようになるから、組立性を向上できる。
【００４３】
また、本実施形態の照明器具では、固定具６は、前側当接部３０ｃに当接した位置から前方には進むことができないので、パッキン部５の圧縮代を、パッキン当接部３１の後面と前側当接部３０ｃの後面との距離によって決定することができる。そのため、パッキン当接部３１の後面と前側当接部３０ｃの後面との距離を好適な距離に設定しておくことで、パッキン部５に無理な力がかからないようにすることができて、パッキン部５の復元性を妨げたり（塑性変形を起こすような力が加えられたり）、透光パネル４に過剰な力が加えられて透光パネル４が破損したりすることを防止することができる。
【００４４】
また、本実施形態の照明器具では、パッキン部５が弾性体により形成され、固定具６が金属製のものである。そのため、ボディ２の後側当接部２２と固定具６との間に働く摩擦力は、固定具６とパッキン部５との間に働く摩擦力に比べて小さくなるので、カバー３とボディ２とを結合する際に、固定具６は、後側当接部２２によって回転させられることなく前進する。そのため、カバー３とボディ２とを結合する際に、パッキン部５が無理に回転させられて、ねじれることなく、前後方向に圧縮することができるようになり、パッキン部５のねじれなどに起因する防水性（密閉性）の悪化を防止できる。なお、固定具６の材料は金属材料に限定されず、剛性が高い樹脂材料などを用いてもよく、さらに、パッキン部５との間の摩擦力が大きく、後側当接部２２との間の摩擦力が小さくなるような材料を用いることが好ましい。また、固定具６は、パッキン部５との間の摩擦力が大きく、後側当接部２２との間の摩擦力が小さくなるような形状とすることが好ましい。
【００４５】
また、本実施形態の照明器具は、カバー３に形成した嵌合凹部３０ｄと、パッキン部５に形成され当該嵌合凹部３０ｄと凹凸嵌合する嵌合突部５ｂとで構成され、パッキン部５をカバー３に仮固定する仮固定手段を備えるので、固定具６の取り付け前においてもパッキン部５をカバー３に固定することができるから、カバー３をボディ２に取り付ける際にパッキン部５がカバーから脱落してしまうことなどを防止することができ、組立作業が容易に行えるようになる。
【００４６】
なお、本実施形態の照明器具では、カバー３に形成した嵌合凹部３０ｄと、パッキン部５に形成した嵌合突部５ｂとで仮固定手段を構成しているが、カバー３側に嵌合突部５ｂを設け、パッキン部５側に嵌合凹部３０ｄを設けるようにしてもよい。すなわち、仮固定手段は、パッキン部５の外側面とカバー３におけるパッキン部５の外側面との対向面（本実施形態の場合は第１の空間部３０ａの内側面）とのいずれか一方に突設された嵌合突部と、パッキン部５の上記外側面とカバー３の上記対向面とのいずれか他方に凹設され嵌合凹部と凹凸嵌合する嵌合凹部とで構成されていればよい。
【００４７】
また、本実施形態の照明器具におけるパッキン部５の内側面には、透光パネル４の縁部が全周に亘って嵌め込まれる保持溝５ａが形成されているから、パッキン部５に透光パネル４を仮固定することができる。さらに、パッキン部５の外側面には、固定具６の狭持部６ａと凹凸嵌合する固定具取付用の取付凹部５ｃが形成されているから、固定具６をパッキン部５に仮固定することができる。このように、パッキン部５に透光パネル４および固定具６を仮固定しておけば、カバー３をボディ２に取り付ける際に固定具６や透光パネル４がパッキン部５やカバー３から脱落してしまうことを防止することができ、組立作業が容易に行えるようになる。
【００４８】
また、カバー３とボディ２とを結合した際に、パッキン部５がパッキン当接部３１と固定具６とによって前後方向に圧縮されて、前後方向に交差する方向に膨出するように変形した場合でも、はみ出し防止部３２によってパッキン部５が窓孔３ａ内にはみ出すことが防止されるので、光源Ｌから放射された光がパッキン部５によって遮られてしまうことを防止することができ、しかも、パッキン部５が窓孔３ａに臨むことによる美観の悪化を防止することができる。
【００４９】
なお、本実施形態の照明器具は、あくまでも本発明の一実施形態に過ぎないものであって、本発明の技術的範囲を本実施形態のものに限定する趣旨ではなく、本発明の趣旨を逸脱しない範囲での変更は当然に行える。例えば、本実施形態におけるカバー３は、前側当接部３０ｃにおける固定具６との当接面（図１（ｂ）における後面）が、パッキン当接部３１におけるパッキン部５との当接面（図１（ｂ）における後面）より後方に位置しているが、カバー３および固定具６の形状を適宜選択することによって、前側当接部３０ｃの上記当接面が、パッキン当接部３１の上記当接面より前方に位置するようにしてもよい。また、本実施形態におけるパッキン部５は、前側パッキン部５０と、後側パッキン部５１とを連続一体に備えるものであるが、これらは別体であってもよい。また、後側パッキン部５１は、必ずしも設ける必要はなく、固定具６の狭持部６ａが透光パネル４の後面に当接するようにしてもよい。ただし、透光パネル４の保護と、防水性を考慮すれば、後側パッキン部５１を設けるほうが好ましい。また、器具本体１などの各部品の外形形状は、本発明の効果を奏することができる範囲内で変更することができる。
【図面の簡単な説明】
【００５０】
【図１】本発明の一実施形態の照明器具を示し、（ａ）は断面図、（ｂ）は同図（ａ）にＰで示す部位の拡大図である。
【図２】同上の照明器具の斜視図である。
【図３】同上の照明器具の組立方法の説明図である。
【図４】同上におけるカバーの斜視図である。
【図５】同上におけるパッキンの斜視図である。
【図６】従来例の照明器具を示し、（ａ）は断面図、（ｂ）は正面図である。
【図７】他の従来例の照明器具を示し、（ａ）は断面図、（ｂ）は正面図である。
【図８】他の従来例の照明器具を示し、（ａ）は断面図、（ｂ）は正面図である。
【符号の説明】
【００５１】
１    器具本体
２    ボディ
３    カバー
３ａ  窓孔
４    透光パネル
５    パッキン部
５ａ  保持溝
５ｂ  嵌合突部
５ｃ  取付凹部
６    固定具
６ａ  狭持部
６ｂ  保持部
２２    後側当接部
３０ｃ  前側当接部
３０ｄ  嵌合凹部
３１    パッキン当接部
３２    はみ出し防止部
Ｌ    光源
【図１】
0005149665.tif 000002
【図２】
0005149665.tif 000003
【図３】
0005149665.tif 000004
【図４】
0005149665.tif 000005
【図５】
0005149665.tif 000006
【図６】
0005149665.tif 000007
【図７】
0005149665.tif 000008
【図８】
0005149665.tif 000009